(57)【要約】      （修正有）【課題】ろうそくと線香を一緒にかつ安定して供えることができ、残灰、線香くず等の排出が容易なろうそく台兼用線香台を提供する。【解決手段】平面が四角形の皿状をなす台本体１２と、線香１４を横向きに保持する線香置き部１６と、台本体１２の内部に設けられ、かつ台本体１２に固定された、ろうそく立て部１８とを備える。台本体１２の内部に、線香置き部１６を支持する突出部が設けられている。線香置き部１６は、枠体とこの枠体を外縁部として同枠体に張られた金網とにより構成されている。ろうそく立て部１８は、台本体１２の底面に立設された軸体の頂部にろうそく差込み部を設けたものである。【選択図】図１
0003167732.tif 000002
【実用新案登録請求の範囲】
【請求項１】
平面が四角形の皿状をなす台本体と、
前記台本体の内部に配置されて線香を横向きに保持する線香置き部と、
前記台本体の内部の左右２箇所に設けられ、かつ前記台本体に固定された、ろうそく立て部とを備え、
前記台本体の内部に、前記線香置き部を前記台本体内の底面から浮上させた状態で支持する突出部が設けられ、
前記線香置き部は、前記台本体の周縁部に沿う形状に形成された枠体とこの枠体を外縁部として同枠体に張られた金網とにより構成され、
前記ろうそく立て部は、前記台本体の底面に立設された軸体とこの軸体の頂部に設けられたろうそく差込み部とにより構成されていることを特徴とするろうそく台兼用線香台。
【請求項２】
請求項１に記載のろうそく台兼用線香台において、
前記ろうそく立て部は前記台本体の側縁部近傍に設けられ、
前記枠体の、前記ろうそく立て部との対向部に、前記ろうそく立て部を挿通させる切欠部を設けたことを特徴とするろうそく台兼用線香台。
【請求項３】
請求項２に記載のろうそく台兼用線香台において、
前記ろうそく立て部は、前記台本体の底面に立設された軸体と、前記軸体の頂部に設けられたろうそく差込み部とにより構成され、
前記切欠部は、前記ろうそく立て部の前記軸体を挿通させ、かつ前記ろうそく差込み部に係止される形状とされ、
前記線香置き部が前記台本体の反転により前記台本体から簡単離脱しないようにされていることを特徴とするろうそく台兼用線香台。
【請求項４】
請求項１ないし３のいずれかに記載のろうそく台兼用線香台において、
前記突出部は、前記台本体の内部を横断する板状に形成され、かつ複数列に設けられたものであることを特徴とするろうそく台兼用線香台。
【請求項５】
請求項１ないし４のいずれかに記載のろうそく台兼用線香台において、
前記台本体の側面部に複数個の通気孔を設けたことを特徴とするろうそく台兼用線香台。
【考案の詳細な説明】
【技術分野】
【０００１】
本考案は、礼拝時等にろうそくと線香を一緒に供えることができる、ろうそく台兼用線香台に関する。
【背景技術】
【０００２】
従来、石製の香炉台において台板の上面にろうそく立てと線香台とを取り付けた構造の線香台が提案されている（特許文献１参照）。しかしながら、この線香台は線香を縦向きに支持するものである。
【０００３】
線香を縦向きに支持する線香台は、風や振動、あるいは他の物品が当たる等して、線香が不用意に倒れたり、折れたりし易く、火の点いた線香が線香台の外部に落ちるおそれがある。
【０００４】
これに対して、線香を受皿部の上方に横向きに支持する線香台が提案されている（特許文献２参照）。しかしながら、この線香台は、線香を横向きに支持する構造だけで、ろうそく立てについては構成されていないものである。
【先行技術文献】
【特許文献】
【０００５】
【特許文献１】特開２００５−１７９９２３号公報
【特許文献２】特開２００５−２１５４９号公報
【考案の概要】
【考案が解決しようとする課題】
【０００６】
既知の従来の技術には、次のような解決すべき課題があった。
ろうそく立てと線香台とを一緒に取り付けてなる、上記従来の線香台は、線香を安全に供えることができないものである。また、残灰や燃え殻、線香くず等の排出が面倒であると共に内部を払拭掃除することができない、等の課題がある。
【０００７】
本考案は、上記の課題を解決するためになされたもので、ろうそくと線香を一緒にかつ安定して供えることができ、また残灰、線香くず等の排出が容易で安全性の良好なろうそく台兼用線香台を提供することを目的とする。
【課題を解決するための手段】
【０００８】
以下の構成はそれぞれ上記の課題を解決するための手段である。
〈構成１〉
平面が四角形の皿状をなす台本体と、前記台本体の内部に配置されて線香を横向きに保持する線香置き部と、前記台本体の内部の左右２箇所に設けられ、かつ前記台本体に固定された、ろうそく立て部とを備え、前記台本体の内部に、前記線香置き部を前記台本体内の底面から浮上させた状態で支持する突出部が設けられ、前記線香置き部は、前記台本体の周縁部に沿う形状に形成された枠体とこの枠体を外縁部として同枠体に張られた金網とにより構成され、前記ろうそく立て部は、前記台本体の底面に立設された軸体とこの軸体の頂部に設けられたろうそく差込み部とにより構成されていることを特徴とするろうそく台兼用線香台。
【０００９】
〈構成２〉
構成１に記載のろうそく台兼用線香台において、前記ろうそく立て部は前記台本体の側縁部近傍に設けられ、前記枠体の、前記ろうそく立て部との対向部に、前記ろうそく立て部を挿通させる切欠部を設けたことを特徴とするろうそく台兼用線香台。
【００１０】
〈構成３〉
構成２に記載のろうそく台兼用線香台において、前記ろうそく立て部は、前記台本体の底面に立設された軸体と、前記軸体の頂部に設けられたろうそく差込み部とにより構成され、前記切欠部は、前記ろうそく立て部の前記軸体を挿通させ、かつ前記ろうそく差込み部に係止される形状とされ、前記線香置き部が前記台本体の反転により前記台本体から簡単離脱しないようにされていることを特徴とするろうそく台兼用線香台。
【００１１】
〈構成４〉
構成１ないし３のいずれかに記載のろうそく台兼用線香台において、前記突出部は、前記台本体の内部を横断する板状に形成され、かつ複数列に設けられたものであることを特徴とするろうそく台兼用線香台。
【００１２】
〈構成５〉
請求項１ないし４のいずれかに記載のろうそく台兼用線香台において、
前記台本体の側面部に複数個の通気孔を設けたことを特徴とするろうそく台兼用線香台。
【考案の効果】
【００１３】
〈構成１の効果〉
ろうそく立て部を台本体に固定した状態で線香置き部を台本体から簡単に取り外せるので、残灰、線香くず等の排出および清掃が容易である。線香を横向きに保持できるので、線香を安全に完全燃焼させることができ、安全性が良好である。
〈構成２の効果〉
残灰、線香くずの排出等の際に、線香置き部を台本体から取外しし易い。
〈構成３の効果〉
切欠部とろうそく立て部との係止により、線香置き部が台本体から簡単に抜け出して各部品が簡単に分解することがないので、取り扱いに安定感がある。
〈構成４の効果〉
線香置き部を安定よく設置できる。
〈構成５の効果〉
台本体側面部の通気孔から空気が入って台本体内で空気の対流が起こり、線香の燃焼効率を上げる効果を奏する。
【図面の簡単な説明】
【００１４】
【図１】実施例１のろうそく台兼用線香台１０を示す斜視図である。
【図２】はろうそく台兼用線香台１０を解体して示す図で、（ａ）は台本体１２を示す斜視図、（ｂ）は線香置き部１６を示す斜視図である。
【考案を実施するための形態】
【００１５】
以下、本考案の実施の形態を詳細に説明する。
【実施例１】
【００１６】
図１は実施例１のろうそく台兼用線香台１０を示す斜視図、図２はろうそく台兼用線香台１０を解体して示す図で、（ａ）は台本体１２を示す斜視図、（ｂ）は線香置き部１６を示す斜視図である。
【００１７】
図１に示すように、ろうそく台兼用線香台１０は、箱型の台本体１２と、この台本体１２内に配置された線香置き部１６と、台本体１２の内部に設けられたろうそく立て部１８とを備えている。
【００１８】
図２（ａ）に示すように、台本体１２は、平面が四角形の皿状を呈している。台本体１２の内部に、線香置き部１６を載置させて支持する突出部２０が設けられている。突出部２０は、台本体１２の内部を横断する板状に形成され、かつ複数列に設けられたものである。台本体１２および突出部２０は、金属製、好ましくはステンレス製である。
【００１９】
突出部２０の高さは、線香置き部１６を台本体１２内の底面から適宜浮上させる程度の高さとされている。なお、突出部２０は、線香置き部１６を台本体１２内の底面から適宜浮上させうるものであれば、板状の形状に限定されるものではない。
【００２０】
台本体１２の側面部に複数個の通気孔１３が設けられている。複数個の通気孔１３を設けることにより、通気孔１３から空気が入って台本体１２内で空気の対流が起こり、線香の燃焼効率を上げる効果がある。
【００２１】
ここで、台本体１２の側面部とは、台本体１２の正面部および背面部も含んでいる。しかしながら、美観等を考慮した場合、図示したように、正面部には通気孔１３を設けない方が好ましい。
【００２２】
ろうそく立て部１８は、台本体１２の両側縁部近傍の２箇所に設けられている。ろうそく立て部１８は、台本体１２の底面に立設された軸体２６と、この軸体２６の頂部に設けられたろうそく差込み部２８とにより構成されている。
【００２３】
ろうそく差込み部２８は、ろうそく１９を保持する針状の突起を有する、周知構造のものである。軸体２６およびろうそく差込み部２８は、金属製、好ましくはステンレス製である。
【００２４】
図２（ｂ）に示すように、線香置き部１６は、台本体１２の周縁部に沿う形状に形成された枠体２２とこの枠体２２を外縁部として同枠体２２に張られた金網２４とにより構成されている。枠体２２と金網２４は一体に形成されている。
【００２５】
金網２４の代わりに、パンチングメタルのような穴明き板を使用した場合は線香が焼香の途中で消えてしまうことが多い。したがって、本考案においては、適度な網目の金網２４を使用している。適度な網目の金網２４を用いることにより、線香の完全燃焼が可能である。
【００２６】
この線香置き部１６は、線香１４を金網２４上に置いて横向きに保持するものである。枠体２２および金網２４は、金属製、好ましくはステンレス製である。
【００２７】
枠体２２の、ろうそく立て部１８との対向部に、ろうそく立て部１８の軸体２６を挿通させるほぼ半円形の切欠部３０が設けられている。
【００２８】
切欠部３０は、ろうそく立て部の軸体２６を挿通させ、かつろうそく差込み部２８に係止される形状とされている。したがって、線香置き部１６は台本体１２の反転により台本体１２から簡単離脱しない。
【００２９】
ここで、簡単離脱とは、線香置き部１６を台本体１２から取外すことは可能であるが、台本体１２を単に反転した程度では簡単に離脱しないことを意味する。
【００３０】
切欠部３０は、ろうそく立て部１８を挿通させるだけでなく、台本体１２の反転により台本体１２から簡単離脱しない範囲で少し大きめに形成することにより、線香置き部１６を台本体１２に取り付けあるいは取り外す際に指掛けとして役立つものである。
【００３１】
上記したろうそく台兼用線香台１０は、コンパクトで持ち運びが容易であるから、一般家庭の祭壇以外でも墓所、礼拝所等において手軽に使用できる。
【００３２】
また、ろうそく立て部１８を台本体１２に固定した状態で線香置き部１６を台本体１２から取り外せるので、残灰、線香１４くず等の排出および清掃が容易である。線香１４を横向きに保持できるので、線香１４を完全燃焼させることができ、安全性が良好である。
【符号の説明】
【００３３】
１０  ろうそく台兼用線香台
１２  台本体
１３  通気孔
１４  線香
１６  線香置き部
１８  ろうそく立て部
１９  ろうそく
２０  突出部
２２  枠体
２４  金網
２６  軸体
２８  ろうそく差込み部
３０  切欠部
【図１】
0003167732.tif 000003
【図２】
0003167732.tif 000004